(57)【要約】【課題】筆記シートの搬送を利用することにより、罫引操作が簡便で、かつ簡単な構造で筆記シートの任意の位置に直線が引ける書込み装置を提供する。【解決手段】表示枠３内に筆記シート１を搬送可能に張り渡す。表示枠またはそれに取り付けるガイド部材でスライド部材４１を支持し、そのスライド部材を、表示枠またはガイド部材に設けるガイド手段４２で案内して、筆記シートの搬送方向と直交する方向にスライド自在とするとともに、そのスライド部材に、ペンを位置決めするペン位置決め部４０を設ける。そして、筆記シートの搬送を利用することにより、ペンを用いて書き込みを行う。【選択図】        図４
2004237587.tif 000002
【特許請求の範囲】
【請求項１】
表示枠内に筆記シートを搬送可能に張り渡し、その筆記シートにペンを用いて書き込みを行う書込み装置において、
前記表示枠またはそれに取り付けるガイド部材でスライド部材を支持し、
そのスライド部材を、前記表示枠または前記ガイド部材に設けるガイド手段で案内して、前記筆記シートの搬送方向と直交する方向にスライド自在とするとともに、
そのスライド部材に、ペンを位置決めするペン位置決め部を設けることを特徴とする、書込み装置。
【請求項２】
前記ガイド手段を前記表示枠自体に、前記筆記シートの搬送方向と直交する方向に設けることを特徴とする、請求項１に記載の書込み装置。
【請求項３】
前記ガイド手段を前記ガイド部材に、前記筆記シートの搬送方向と直交する方向に設けることを特徴とする、請求項１に記載の書込み装置。
【請求項４】
前記ガイド部材を、前記ペン位置決め部を前記表示枠内に位置する使用位置から、前記表示枠外に位置する格納位置に退避可能とすることを特徴とする、請求項３に記載の書込み装置。
【請求項５】
前記スライド部材の一部を切り欠いて前記ペン位置決め部を設けることを特徴とする、請求項１ないし４のいずれか１に記載の書込み装置。
【請求項６】
前記ペン位置決め部の縁面が表側に向かって開くように傾斜することを特徴とする、請求項１ないし５のいずれか１に記載の書込み装置。
【請求項７】
前記スライド部材の嵌合部を前記ガイド手段にはめ合わせて前記スライド部材を前記ガイド手段で案内することを特徴とする、請求項１ないし６のいずれか１に記載の書込み装置。
【請求項８】
前記スライド部材の嵌合部を前記ガイド手段に弾性的にはめ合わせることを特徴とする、請求項７に記載の書込み装置。
【請求項９】
前記スライド部材の嵌合部を前記ガイド手段にはめ合わす方向を変更することにより、前記ペン位置決め部を前記表示枠内に位置する使用位置から、前記表示枠外に位置する格納位置に、前記スライド部材を退避可能とすることを特徴とする、請求項１または２に記載の書込み装置。
【請求項１０】
前記ガイド手段を延長して前記表示枠または前記ガイド部材に、前記ガイド手段で案内して前記スライド部材を収納することで、前記ペン位置決め部を前記表示枠外まで退避する逃げを設けることを特徴とする、請求項１ないし３のいずれか１に記載の書込み装置。
【請求項１１】
前記ガイド手段に沿って、前記スライド部材の位置決めをするためのスケール部を備えることを特徴とする、請求項１ないし３のいずれか１に記載の書込み装置。
【請求項１２】
前記スライド部材を、スライド本体からペン支持部を突出してその先端に前記ペン位置決め部を設けて形成し、前記ペン支持部を前記表示枠または前記ガイド部材に重ね合わせて支持することを特徴とする、請求項１ないし３のいずれか１に記載の書込み装置。
【発明の詳細な説明】
【０００１】
【発明の属する技術分野】
この発明は、消去可能に手書きする筆記シートを搬送可能に備える、電子黒板装置、お絵書きボードなどの書込み装置に関する。
【０００２】
【従来の技術】
従来の書込み装置において、表示枠内に張り渡された筆記シートに直線などを引くときは、別途用意した定規を書込面にあててペンで引いていた。
【０００３】
しかし、定規よりも長い直線を引こうとするときは、定規を移動して線を継ぎ足して引いていたため、効率が悪く、継ぎ目に段差がついてしまい見栄えが悪いという問題があった。また、表などを作成するために直線を縦横に複数本引くときは、すでに書いた直線上を定規が擦って直線を消してしまったり、汚してしまい、書込面の見栄えが悪いという問題があった。
【０００４】
そこで、書込み装置の罫引装置として、次のような文献が開示されている。
【０００５】
【特許文献１】
特開平１−４２２９８号公報
【０００６】
この文献に開示されている罫引装置は、書込み装置の表示枠に水平方向にレールを設け、罫引装置に備える取付部材をそのレールに移動自在に取り付ける。
【０００７】
この罫引装置で、横直線を引くには、罫引装置に備えるペンホルダを適宜、垂直方向に移動して固定した後、ペンホルダにペンを装着して、罫引装置を移動させながら、筆記シートに横直線を引く。
【０００８】
また、縦直線を引くには、罫引装置をレールに沿って適宜、水平方向に移動した後、罫引装置に備えるペンホルダにペンを装着した後、ペンホルダを罫引装置内で垂直方向に移動させて、筆記シートに縦直線を引く。
【０００９】
しかし、このような罫引装置を備えた書込み装置では、電子黒板の表示枠にレールを設けなければならず、構造が複雑であった。そこで、次のような罫引装置を備えた書込み装置が開示されている。
【００１０】
【特許文献２】
特開平１０−２９３９８号公報
【００１１】
この文献に開示されている罫引装置は、罫引装置にローラ対を備え、そのローラ対を書込み装置の表示枠に直接取り付ける。
【００１２】
この罫引装置で、横直線を引くには、罫引装置に備えるペンホルダを適宜、垂直方向に移動して固定した後、ペンホルダにペンを装着して、罫引装置を移動させながら、筆記シートに横直線を引く。
【００１３】
また、縦直線を引くには、罫引装置をレールに沿って適宜、水平方向に移動した後、罫引装置に備えるペンホルダにペンを装着した後、ペンホルダを罫引装置内で垂直方向に移動させて、筆記シートに縦直線を引く。
【００１４】
【発明が解決しようとする課題】
しかし、上記２つの特許文献に開示されているような罫引装置を備えた書込み装置は、罫引装置に設けたペンホルダ自体を縦横に移動させる必要があり、罫引操作が面倒で、かつ依然として構造が複雑になってしまうという問題がある。
【００１５】
そこで、この発明の目的は、筆記シートの搬送を利用することにより、罫引操作が簡便で、かつ簡単な構造で筆記シートの任意の位置に直線が引ける書込み装置を提供することにある。
【００１６】
【課題を解決するための手段】
そのため、請求項１に記載の発明は、表示枠内に筆記シートを搬送可能に張り渡し、その筆記シートにペンを用いて書き込みを行う書込み装置において、
前記表示枠またはそれに取り付けるガイド部材でスライド部材を支持し、
そのスライド部材を、前記表示枠または前記ガイド部材に設けるガイド手段で案内して、前記筆記シートの搬送方向と直交する方向にスライド自在とするとともに、
そのスライド部材に、ペンを位置決めするペン位置決め部を設けることを特徴とする。
【００１７】
請求項２に記載の発明は、請求項１に記載の書込み装置において、前記ガイド手段を前記表示枠自体に、前記筆記シートの搬送方向と直交する方向に設けることを特徴とする。
【００１８】
請求項３に記載の発明は、請求項１に記載の書込み装置において、前記ガイド手段を前記ガイド部材に、前記筆記シートの搬送方向と直交する方向に設けることを特徴とする。
【００１９】
請求項４に記載の発明は、請求項３に記載の書込み装置において、前記ガイド部材を、前記ペン位置決め部を前記表示枠内に位置する使用位置から、前記表示枠外に位置する格納位置に退避可能とすることを特徴とする。
【００２０】
請求項５に記載の発明は、請求項１ないし４のいずれか１に記載の書込み装置において、前記スライド部材の一部を切り欠いて前記ペン位置決め部を設けることを特徴とする。
【００２１】
請求項６に記載の発明は、請求項１ないし５のいずれか１に記載の書込み装置において、前記ペン位置決め部の縁面が表側に向かって開くように傾斜することを特徴とする。
【００２２】
請求項７に記載の発明は、請求項１ないし６のいずれか１に記載の書込み装置において、前記スライド部材の嵌合部を前記ガイド手段にはめ合わせて前記スライド部材を前記ガイド手段で案内することを特徴とする。
【００２３】
請求項８に記載の発明は、請求項７に記載の書込み装置において、前記スライド部材の嵌合部を前記ガイド手段に弾性的にはめ合わせることを特徴とする。
【００２４】
請求項９に記載の発明は、請求項１または２に記載の書込み装置において、前記スライド部材の嵌合部を前記ガイド手段にはめ合わす方向を変更することにより、前記ペン位置決め部を前記表示枠内に位置する使用位置から、前記表示枠外に位置する格納位置に、前記スライド部材を退避可能とすることを特徴とする。
【００２５】
請求項１０に記載の発明は、請求項１ないし３のいずれか１に記載の書込み装置において、前記ガイド手段を延長して前記表示枠または前記ガイド部材に、前記ガイド手段で案内して前記スライド部材を収納することで、前記ペン位置決め部を前記表示枠外まで退避する逃げを設けることを特徴とする。
【００２６】
請求項１１に記載の発明は、請求項１ないし３のいずれか１に記載の書込み装置において、前記ガイド手段に沿って、前記スライド部材の位置決めをするためのスケール部を備えることを特徴とする。
【００２７】
請求項１２に記載の発明は、請求項１ないし３のいずれか１に記載の書込み装置において、前記スライド部材を、スライド本体からペン支持部を突出してその先端に前記ペン位置決め部を設けて形成し、前記ペン支持部を前記表示枠または前記ガイド部材に重ね合わせて支持することを特徴とする。
【００２８】
【発明の実施の形態】
以下、図面を参照しつつ、この発明の実施の形態につき説明する。
【００２９】
図１は、本発明の書込み装置の一例である電子黒板装置の概略構成を示す図である。図に示すように、電子黒板装置には、電子黒板本体２、操作部４、プリンタ５、スタンド６などがそなえられている。
【００３０】
電子黒板本体２は、一定の厚みを持ったプラスチックなどで形成された矩形の表示枠３内に、消去可能に書き込みを行うことのできる筆記シート１を搬送可能に張り渡し、第１書込面１ａを形成する。また、操作部４は、後述する操作キーにより電子黒板装置の各種操作を行うものである。
【００３１】
そして、プリンタ５は、筆記シート１上に書き込まれた内容を用紙に印刷出力するものである。さらに、スタンド６は、下部にキャスタ７を設け、電子黒板本体２を直立状態で支えるものである。なお、プリンタ５は、取付部材８によりスタンド６に取り付けられている。
【００３２】
電子黒板本体２は、図２に示すように、フレーム９の内部にシート搬送手段１９、読取手段１４などをそなえる。シート搬送手段１９は、駆動ローラ１１と従動ローラ１２，５１，５２を備え、筆記シート１は、これらのローラの間に掛け回され、表示枠３内の書込面を第１書込面１ａとすると順に、第１書込面１ａ、第２書込面１ｂ、第３書込面１ｃ、第４書込面１ｄを形成する。
【００３３】
また、駆動ローラ１１には、図示しない駆動源であるステップモータが接続され、従動ローラ１２には、図示しないシートテンション機構が配置され、筆記シート１に張力を施している。さらに、第１書込面１ａの裏面側には、スクリーンボード１３が設けられている。
【００３４】
また、筆記シート１の奥には、書込み内容を、読取位置Ｋにおいて読み取る読取手段１４をそなえ、読取手段１４は、光源１５、ミラー１６、レンズ１７、光―電気変換器であるＣＣＤ１８をそなえる。
【００３５】
そして、操作部４は、詳しくは図３に示すように構成されている。すなわち、操作部４には、電子黒板装置の電源のＯＮ，ＯＦＦを行う電源キー２２、筆記シート１の先送りを行う送りキー２３、筆記シート１の逆戻しする戻しキー２４、プリンタ５のヘッドをクリーニングするクリーニングキー２５、読取濃度を変更する濃度キー２６、コピーモードを変更するモードキー２７、コピー枚数を変更する枚数キー２８、印刷を開始するコピーキー２９、コピーを中断させるコピーストップキー３０などの複数の操作キーがそなえられている。なお、電源キー２２をＯＮにすると、読取濃度、コピーモードは標準に設定され、コピー枚数は１枚に設定される。
【００３６】
加えて、電源がＯＮのときに点灯する電源ＬＥＤ３１、紙詰まりなどのエラーが発生したときに点灯するエラーＬＥＤ３２、クリーニング作動中に点灯するクリーニングＬＥＤ３３、濃度キー２６により読取濃度を濃く設定したときに点灯する濃いＬＥＤ３４、薄く設定したときに点灯する薄いＬＥＤ３５、モードキー２７により追加コピーを設定したときに点灯する追加ＬＥＤ３６、モードキー２７にて、第１書込面１ａと第２書込面１ｂの内容を１枚の用紙にコピーする、２ページ集約を設定したときに点灯する２ページ集約ＬＥＤ３７、第１〜第４書込面の内容を１枚の用紙にコピーする４ページ集約を設定したときに点灯する４ページ集約ＬＥＤ５３、第１〜第４書込面を連続的に４枚の用紙にコピーする４ページ連続を設定したときに点灯する４ページ連続ＬＥＤ５４、枚数キー２８が押される毎に１〜９までの数字を変化して表示する７セグメントＬＥＤ３８などの複数のＬＥＤがそなえられている。
【００３７】
このように構成された電子黒板装置を使用するときは、図３の操作部４の電源キー２２を押下し、電源をＯＮにして、電源ＬＥＤ３１を点灯させる。次に、図１の第１書込面１ａに、ペンを用いて絵や文字などの書込みを行う。
【００３８】
第１書込面１ａがいっぱいになったら、送りキー２３を押し、筆記シート１を送り、第２書込面１ｂを表示枠３に臨ませ、続けて絵や文字などを書き込む。そして、第１書込面１ａの内容を見たいときは、戻しキー２４を押し、筆記シート１を戻し、第１書込面１ａを表示枠３に臨ませる。
【００３９】
一方、エラーが生じたときには、エラーＬＥＤ３２が点灯し、ユーザーに警告する。
【００４０】
そして、第１書込面１ａの書込み内容を読み取って印刷するには、図３の操作部４において、コピーキー２９を押下する。
【００４１】
すると、操作部４から送信された信号が、ＣＰＵにコピーの開始を通知する。これにより、図２において、図示しないステッピングモータが、駆動ローラ１１を回転させて筆記シート１を矢印のＡ方向に搬送し、第１書込面１ａの先端から読取位置Ｋを順次通過して、読取手段１４が第１書込面１ａの書込み内容を順次読み取り、プリンタ５に送信して用紙に印刷することによりコピーがなされる。
【００４２】
なお、前述のように、電源キー２２をＯＮにすると、読取濃度、コピーモードは標準に設定され、コピー枚数は１枚に設定されるので、読取濃度を変更するときは濃度キー２６を、コピーモードを変更するときはモードキー２７を、コピー枚数を変更するときは枚数キー２８を必要に応じてそれぞれ押下して変更してコピーモードを変更した後、コピーキー２９を押下して、変更した内容で用紙に印刷する。
【００４３】
そして、電子黒板の使用を終了するときは、再度、電源キー２２を押下してＯＦＦとすると、電源ＬＥＤ３１が消灯する。
【００４４】
ところで、この例の電子黒板装置には、図４に示すように、表示枠３自体の縦枠（枠部）３ｃにガイド手段４２を、筆記シート１の搬送方向Ａ−Ｂと直交する方向に設け、そのガイド手段４２でスライド部材４１をスライド自在に支持する。一方、図５のように、スライド部材４１が邪魔にならない表示枠３の左右縦枠３ｃ，３ｄの内側枠縁３ａ，３ｂを、ともに縦直線を引くための定規部５６とする。
【００４５】
ガイド手段４２は、詳しくは、図６に示すように、表示枠３の左側の縦枠３ｃに、矩形の細長な開口４２ａを設け、開口４２ａの、縦枠３ｃの裏面３ｃｄ側にある長辺縁に沿って、互いに向かい合うようにコの字状に形成された一対の嵌合凹部４７ａ，４７ｂ、また、開口４２ａの、縦枠３ｃの表面３ｃｕ側にある縦枠３ｃの外縁側にある長辺に沿って、スライド部材４１の位置決めをするために筆記シート１の搬送方向と直交する方向にガイド手段４２に沿ってメモリを等間隔で設けたスケール部４３などを備える。
【００４６】
一方、スライド部材４１は、図７に示すように、上部の内幅をｗ、底部の内幅をｗ１とする略コの字状のスライド本体５０が下向きに開口し、スライド本体５０の底部の左右両端には、長さｖの一対の凸状の嵌合部５１ａ，５１ｂを設ける。嵌合部５１ｂの上には、スライド本体５０から突出してペン支持部５２を設ける。このペン支持部５２には、表示枠３内に張り出す張出部分５２ｔの先端を切り欠いて、先端に筆記シート１に直線を引くためにペンを位置決めする、ペン位置決め部４０を設ける。このとき、スライド本体５０の底部の内幅ｗ１は、上部の内幅ｗより広く形成されている。
【００４７】
なお、スライド本体５０は、例えば樹脂などの弾力性のある材料で形成する。また、スライド本体５０、嵌合部５１ａ，５１ｂ、ペン支持部５２を、一体に形成すると部品点数を減らすことができる。
【００４８】
ペン位置決め部４０は、詳しくは、図８（ａ），（ｂ）に示すように、スライド部材４１の一部を切り欠いて設け、ペン支持部５２の先端から根元に向かって円弧状に切り込んで形成され、そのペン位置決め部４０の縁面４０ａが電子黒板装置の表側に向かって開くように傾斜してなる。
【００４９】
このように構成されたスライド部材４１をガイド手段４２にスライド自在に嵌め合せるには、図９に示すように、スライド部材４１のスライド本体５０の下部を手で矢印のように内側に向かって押して、嵌合部５１ａ，５１ｂを内側に弾力性をもって変位させる。そして、嵌合部５１ａ，５１ｂをガイド手段４２の開口４２ａから挿入して、手の力を緩めて嵌合部５１ａ，５１ｂを嵌合凹部４７ａ，４７ｂに弾性的に嵌め合わせてスライド部材４１をガイド手段４２で案内する。ここで、スライド本体５０が弾力性のある材料で形成されているので、嵌合部５１ａ，５１ｂが嵌合凹部４７ａ，４７ｂに強く嵌合する。
【００５０】
すると、図１０に示すように、スライド部材４１のペン支持部５２を、縦枠３ｃの表側の表面３ｃｕに重ねて設け、ペン位置決め部４０を備えた張出部分５２ｔが表示枠３内に張り出して、第１書込面１ａの上方に保持される。
【００５１】
ここで、スライド本体５０の嵌合部５１ａ，５１ｂの側面Ｓ１，Ｓ２が当接する嵌合凹部４７ａ，４７ｂの側面Ｓ３，Ｓ４間の距離は、ｖ＋ｗ＋ｖ＝２ｖ＋ｗであり、スライド本体５０の底部の寸法は、図７のように、ｖ＋ｗ１＋ｖ＝２ｖ＋ｗ１である。したがって、前述のように、ｗ＜ｗ１であるので、スライド部材４１をガイド手段４２に嵌め合せるために内側に変位させられていた嵌合部５１ａ，５１ｂが、元の形状に戻るように外側に向かって広がると、嵌合部５１ａ，５１ｂの側面Ｓ１，Ｓ２が、嵌合凹部４７ａ，４７ｂの側面Ｓ３，Ｓ４に圧接する。
【００５２】
これによって、側面Ｓ１と側面Ｓ３、側面Ｓ２と側面Ｓ４との間に摩擦力が働き、スライド部材４１がガイド手段４２に固定される。
【００５３】
なお、この例においてｖ＜＜ｗとすると、スライド部材４１をガイド手段４２に容易に着脱することができる。
【００５４】
このように構成された電子黒板装置を用いて、筆記シート１の第１書込面１ａの搬送方向に横直線を引くときは、ユーザーは、スライド部材４１のスライド本体５０を手で内向きに押して、スライド本体５０の底部の内幅を縮める。すると、嵌合部５１ａ，５１ｂの側面Ｓ１，Ｓ２が嵌合凹部４７ａ，４７ｂの側面Ｓ３，Ｓ４から離れ、スライド部材４１を、表示枠３に設けるガイド手段４２で案内して、筆記シート１の搬送方向Ａ−Ｂと直交する方向にスライド自在とすることができるようになる。
【００５５】
そして、スライド部材４１をガイド手段４２に沿って所望の位置まで動かした後、手の力を緩めて再び、スライド部材４１をガイド手段４２に固定する。
【００５６】
次に、手でペンＰを掴んで、図１１，１２に示すように、ペンＰの芯取付部Ｐ１をペン位置決め部４０にあてて第１書込面１ａに対してペンＰの先端Ｐ２を位置決めして、保持する。このとき、ペン位置決め部４０が円弧状に形成されているので、ペンＰの芯取付部Ｐ１の大きさや形状に左右されることなく、安定して芯取付部Ｐ１を保持することができる。
【００５７】
また、ペン位置決め部４０の縁面４０ａは、表側に向かって開くように傾斜しているので、ペンＰを傾けた状態で保持することができ、ペンＰを立てて使用したときにペンＰの先端Ｐ２が筆記シート１の表面を擦って生じる不快音を発生させることがない。
【００５８】
そして、操作部４の送りキー２３を適宜、指で押して、所望の位置まで筆記シート１を搬送し、ペンＰをペン位置決め部４０に保持してから、次に戻しキー２４を押下して矢印Ｂの方向に第１書込面１ａを搬送し、所望の長さの横直線Ｌを引き終えたら、戻しキー２４から指を離して、ペンＰをペン位置決め部４０から離す。
【００５９】
続けて、別の横直線を引きたいときは、前述の要領でスライド部材４１をガイド手段４２に沿って所望の位置まで動かした後、手の力を緩めて再び、スライド部材４１をガイド手段４２に固定する。このとき、ガイド手段４２の脇には、スケール部４３が設けられているので、スライド部４１をより正確に位置決めすることができる。そして、操作部４の送りキー２３または戻しキー２４を押下して、所望の位置まで第１書込面１ａを搬送した後、ペンＰの芯取付部Ｐ１をペン位置決め部４０にあてて、筆記シート１に対してペンＰの先端Ｐ２を位置決めする。そして、前述のように、所望の長さの直線を引き終えたら、ペンＰをペン位置決め部４０から離す。
【００６０】
ここで、図１２に示すように、ペン支持部５２を表示枠３の縦枠３ｃの表側に重ねて設けるので、横直線を引く際に、ペンＰをペン支持部５２のペン位置決め部４０に押しあてる力が強すぎても、縦枠３ｃがペン支持部５２にかかる力を支持するため、ペン支持部５２に力がかかりすぎることがない。
【００６１】
また、筆記シート１の第１書込面１ａに縦直線を引くときは、指で操作部４の戻しキー２４を押下して所望の位置が定規部５６に到達するまで筆記シート１を戻す。そして、手でペンＰを掴んで、ペンＰ２の先端Ｐ２が所望の位置となるように芯取付部Ｐ１を、定規部５６にあてる。そして、定規部５６に沿って必要な長さだけ縦直線を引く。
【００６２】
縦直線を引き終えたら、ペンＰを筆記シート１から離す。また、別の縦直線を引きたいときは、再び指で操作部４の送りキー２３または戻しキー２４を押下して所望の位置が定規部５６に到達するまで筆記シート１を移動させる。そして、前述の要領で、別の縦直線を引く。
【００６３】
なお、ペン位置決め部４０の形状は、円弧状に限定されるものではなく、例えば、図１３（ａ），（ｂ）に示すように、Ｖ字状であってもよい。
【００６４】
また、ペン支持部５２の先端の形状は、この例に限定されるものではなく、図１４（ａ），（ｂ）、図１５（ａ），（ｂ）に示すように、表側に向かって開くように傾斜して設けたペン位置決め部４０の縁面４０ａと同じ傾きを持つペン位置決め部４０ａａを備えるようにしてもよい。このようにすると、縁面４０ａにあてることができないような大きなサイズの芯取付部Ｐ１を持つペンＰを、ペン位置決め部４０ａａにあてて横直線を引くことができる。
【００６５】
一方、横直線を引くことなく電子黒板装置を使用するときは、スライド部材４１のスライド本体５０を内側に手で押して嵌合部５１ａ，５１ｂを内側に弾力性をもって変位させ、嵌合部５１ａ，５１ｂを嵌合凹部４７ａ，４７ｂから外して開口４２ａから取り出し、ガイド手段４２からスライド部材４１を取り外す。
【００６６】
そして、スライド本体５０の中心を通って縦枠３ｃに直交する反転中心面ＣＬ２において、スライド部材４１を反転させた後、スライド部材４１の嵌合部５１ａ，５１ｂをガイド手段４２の嵌合凹部４７ａ，４７ｂに移動自在に嵌め合せると、図１６に示すようになる。
【００６７】
詳しくは、図１７（ａ）に示すように、スライド部材４１のペン支持部５２が縦枠３ｃから筆記シート１の第１書込面１ａ上に張り出している張出部分５２ｔの長さをＮとするとき、幅Ｍの縦枠３ｃの幅方向の中心を結んで縦枠３ｃに直交する枠部中心面ＣＬ１に対してスライド部材４１を反転させる反転中心面ＣＬ２を距離Ｎだけ、表示枠３の内側に向かって平行に変位して、スライド部材４１を備えることができるように、ガイド手段４２を設ける。
【００６８】
このようにすると、図１７（ｂ）に示すように、スライド部材４１を反転中心面ＣＬ２に対して左右反転させた場合、つまりスライド部材４１の嵌合部５１ａ，５１ｂをガイド手段４２にはめ合わす方向を変更することにより、スライド部材４１を、ペン位置決め部４０を表示枠３内に位置する図１７（ａ）に示す使用位置から、表示枠３外に位置する図１７（ｂ）に示す格納位置に退避可能とし、ペン支持部５２が表示枠３の縦枠３ｃから外側に張り出して、ユーザーがペン支持部５２に手を引っかけてけがをしたり、ペン支持部５２を破損させたりする恐れがない。また、スライド部材４１が邪魔にならないようにして、表示枠３の左縦枠３ｃの内側枠縁３ａのすべてを、縦直線を引くための定規部５６として利用することができる。
【００６９】
また、図１８（ａ）に示すように、ガイド手段４２を、表示枠３の上側の内縁３ｕよりも上側に延長して表示枠３に、スライド部材４１の幅に相当する長さＲ分の逃げ５７を設ける。すると、筆記シート１に横直線を引かないときは、図１８（ｂ）に示すように、スライド部材４１をガイド手段４２で案内して動かし、ペン支持部５２の張出部分５２ｔを表示枠３内から表示枠３外まで退避させ、逃げ５７に収納すると、筆記シート１の第１書込面１ａを隅々まで使用することができる。また、スライド部材４１が邪魔にならないようにして、表示枠３の左縦枠３ｃの内側枠縁３ａのすべてを、縦直線を引くための定規部５６として利用することができる。なお、図１８に示す例では、表示枠３の上側の内縁３ｕよりも上側に延長して逃げ５７を設けたが、下側の内縁よりも下側に延長して逃げを設けるようにしてもよい。
【００７０】
ところで、上述の例では、ガイド手段４２を表示枠３の左側の縦枠３ｃ上に設けてこれにスライド部材４１を嵌め合せたが、この発明はこれに限定されるものではなく、図１９（ａ）に示すように、表示枠３の向かい合う縦枠３ｃ，３ｄにそれぞれガイド手段４２を設けて、それぞれにスライド部材４１を嵌め合せてもよい。このようにすると、ユーザーが右利きであっても左利きであっても容易に横直線を引くことができる。
【００７１】
さらに、縦枠３ｃ，３ｄにガイド手段４２とスケール部４３を形成し、スライド部材４１を共有し、必要に応じて左右の縦枠３ｃ，３ｄに付け替えて使用すると、１つのスライド部材４１で２箇所のガイド手段４２を使用することができ、電子黒板装置の製造コストを低減することができる。
【００７２】
また、図１９（ｂ）に示すように、筆記シート１の両端を従動ローラ４６Ａ，４６Ｂを介して駆動ローラ４５Ａ，４５Ｂに巻き付けるタイプの書込み装置においては、ガイド手段４２を表示枠３の左側の縦枠３ｃにのみ設けると、駆動ローラ４５Ｂに接続された書込面に横直線を引くことができない。したがって、図１９（ａ）のように、表示枠３の向かい合う縦枠３ｃ，３ｄにそれぞれガイド手段４２を設けると全ての書込面に横直線を引くことができる。
【００７３】
さらに、上述の例では、ペン位置決め部４０の縁面４０ａを表側に向かって開くように傾斜して設けたが、この発明はこれに限定されるものではない。
【００７４】
また、上述の例では、スライド部材４１に凸部状の嵌合部５１ａ，５１ｂを設け、ガイド手段４２に嵌合凹部４７ａ，４７ｂを設け、嵌合凹部４７ａ，４７ｂと凸部状の嵌合部５１ａ，５１ｂとを移動自在に嵌め合せたが、この発明はこれに限定されるものではなく、逆にスライド部材４１に凹部を設け、ガイド手段４２に凸部を設けて凹部と凸部とをスライド自在に嵌め合わせてもよい。
【００７５】
さらに、ペン位置決め部４０は、ペン支持部５２の張出部分５２ｔを切り欠いて設けたが、この発明はこれに限定されるものではなく、ペン支持部５２の張出部分５２ｔに例えば、筆記シート１の搬送方向に長径を有する楕円形の孔を開け、その長径方向の縁面をペン位置決め部４０としてもよい。
【００７６】
さて、上述した例では、筆記シート１の搬送方向Ａ−Ｂに直線を引くべく、ガイド手段４２を表示枠３自体に、筆記シート１の搬送方向Ａ−Ｂと直交する方向に設けた。しかし、例えば図２０に示すように、ガイド手段４２を表示枠３ではなく、その表示枠３に取り付けるガイド部材７０に、筆記シート１の搬送方向Ａ−Ｂと直交する方向に設け、そのガイド手段４２でスライド部材４１を案内して、筆記シート１の搬送方向Ａ−Ｂと直交する方向にスライド自在としてガイド部材７０で支持するようにしてもよい。
【００７７】
ガイド部材７０は、帯板状で、Ｌ字状に折り曲げた上端を表示枠３の頂枠３ｅ上に乗せ、頂枠３ｅにナット７３（図２１参照）で固定する段付きねじ７４により、その段付きねじ７４を中心として回動自在に取り付け、下端側を下方に向けてのばして筆記シート１の搬送方向Ａ−Ｂと直交する方向に配置する。そして、図２１から判るとおり、途中に段差７０ａ，７０ｂを設けて表示枠３の正面および表示枠３内の筆記シート１表面に沿うように設ける。
【００７８】
なお、ガイド部材７０は、ペン位置決め部４０を表示枠３内に位置する使用位置から、表示枠３外に位置する格納位置に退避可能とする。すなわち、図２２に示すように、ガイド部材７０を回動して書込み面から退避し、筆記シート１への書き込みに邪魔にならないようにすることができる。図示するように、表示枠３の裏側まで退避するようにすれば、一層邪魔にならず、見栄えをよくすることができる。
【００７９】
ガイド部材７０は、筆記シート１の搬送方向Ａ−Ｂのいずれか一側に取り付けてもよいし、両側に取り付けてもよい。また、シート搬送方向Ａ−Ｂに直交する表示枠３の近傍に取り付けると、機能を満足し、かつより小型とすることができる。
【００８０】
なお、上述の例では、書込み装置の例として、電子黒板について説明したが、この発明はこれに限定されるものではなく、例えば、幼児が使用するお絵書きボードや、表示枠内に筆記シートを搬送可能に張り渡し、手動で書込面を搬送するホワイトボードなどにも適用しうる。
【００８１】
また、上述の例では、筆記シートの搬送方向を横方向としたが、この発明はこれに限定されるものではなく、搬送方向は縦方向であってもよい。
【００８２】
【発明の効果】
以上、詳述したように、この発明によれば、表示枠またはそれに取り付けるガイド部材でスライド部材を支持し、そのスライド部材を、表示枠またはガイド部材に設けるガイド手段で案内して、筆記シートの搬送方向と直交する方向にスライド自在とするとともに、そのスライド部材に、ペンを位置決めするペン位置決め部を設けるので、筆記シートの搬送を利用することにより、罫引操作が簡便で、かつ簡単な構造で筆記シートの任意の位置に直線が引ける書込み装置を提供することができる。
【００８３】
請求項２に記載の発明によれば、ガイド手段を表示枠自体に、筆記シートの搬送方向と直交する方向に設けるので、ガイド手段を極めて簡単に形成することができる。
【００８４】
請求項３に記載の発明によれば、ガイド手段をガイド部材に、筆記シートの搬送方向と直交する方向に設けるので、ガイド部材を設けることによりガイド手段を極めて簡単に形成することができる。
【００８５】
請求項４に記載の発明によれば、ガイド部材を、ペン位置決め部を表示枠内に位置する使用位置から、表示枠外に位置する格納位置に退避可能とするので、罫引きを行わないとき、ガイド部材を格納位置とすることにより、書込みの邪魔にならず、隅々まで書込みが可能となる。また、裏側まで退避させることにより、見栄えがよく、また誤って引っ掛けてガイド部材を破損するおそれがない。
【００８６】
請求項５に記載の発明によれば、スライド部材の一部を切り欠いてペン位置決め部を設けるので、簡単な構造でペン位置決め部を形成でき、ペンの大きさや形状に左右されることなくペンを安定して位置決めすることができる。
【００８７】
請求項６に記載の発明によれば、ペン位置決め部の縁面が表側に向かって開くように傾斜するので、ペン位置決め部にペンを当てたとき、ペンを傾けた状態で保持することができ、ペンを立てて使用したときにペンの先端が筆記シートの表面を擦って生じる不快音を発生させることがない。
【００８８】
請求項７に記載の発明によれば、スライド部材の嵌合部をガイド手段にはめ合わせてスライド部材をガイド手段で案内するので、簡単な構造でより確実にスライド部材をガイド手段に嵌め合せることができ、スライド部材をガイド手段に沿ってガタなくより直線的に移動させることができる。
【００８９】
請求項８に記載の発明によれば、スライド部材の嵌合部をガイド手段に弾性的にはめ合わせるので、簡単な構造で、スライド部材をガイド手段に固定することができる。
【００９０】
請求項９に記載の発明によれば、スライド部材の嵌合部をガイド手段にはめ合わす方向を変更することにより、ペン位置決め部を表示枠内に位置する使用位置から、表示枠外に位置する格納位置に、スライド部材を退避可能とするので、直線を引かないときは、格納位置として表示枠内を有効に使用することができる。また、ペン位置決め部を表示枠外に位置して、誤って引っ掛けてスライド部材を破損したり、変形させたりすることがない。
【００９１】
請求項１０に記載の発明によれば、ガイド手段を延長して表示枠またはガイド部材に、ガイド手段で案内してスライド部材を収納することで、ペン位置決め部を表示枠外まで退避する逃げを設けるので、スライド部材を反転させる手間をかけずに、容易に、ペン支持部によって書き込めなかった部分をなくし、表示枠内を有効に使用することができる。
【００９２】
請求項１１に記載の発明によれば、ガイド手段に沿って、スライド部材の位置決めをするためのスケール部を備えるので、複数本の直線を引く際に、容易に均等な間隔で直線を引くことができる。
【００９３】
請求項１２に記載の発明によれば、スライド部材を、スライド本体からペン支持部を突出してその先端にペン位置決め部を設けて形成し、ペン支持部を表示枠またはガイド部材に重ね合わせて支持するので、ペン位置決め部にペンを当てる際に、誤って力を入れ過ぎてしまった場合でも、ペン支持部を表示枠またはガイド部材が支持するから、ペン支持部の強度を大きくする必要がなく、より簡単な構造の書込み装置を提供することができる。
【図面の簡単な説明】
【図１】この発明の書込み装置の一例としての電子黒板装置の概略説明図である。
【図２】その横断面図である。
【図３】その操作部の平面図である。
【図４】その要部拡大図である。
【図５】その表示枠の内縁の縦断面図である。
【図６】そのガイド手段のＸ矢視縦断面図である。
【図７】そのスライド部材の斜視図である。
【図８】（ａ）は、ペン支持部の張出部分の平面図であり、（ｂ）は、その縦断面図である。
【図９】そのスライド部材の操作部に内向きに力を加えた様子を説明する図である。
【図１０】そのガイド手段にスライド部材を組付けた罫引ユニットの斜視図である。
【図１１】そのペン位置決め部にペンをあてて横直線を引いている様子を示す平面図である。
【図１２】同じくその縦断面図である。
【図１３】この発明の書込み装置のペン位置決め部の他例で、（ａ）はその平面図であり、（ｂ）はその縦断面図である。
【図１４】そのさらに他例で、（ａ）はその平面図であり、（ｂ）はその縦断面図である。
【図１５】そのさらにまた他例で、（ａ）はその平面図であり、（ｂ）はその縦断面図である。
【図１６】スライド部材を反転させてガイド手段に組付けた状態の断面図である。
【図１７】（ａ）は、スライド部材を書込面上に突出させた状態を示す断面図であり、（ｂ）は、その状態からスライド部材を反転させた状態を示す断面図である。
【図１８】（ａ）は、この発明の書込み装置のガイド手段に逃げを設けた状態を示す要部拡大図であり、（ｂ）は、その逃げにスライド部材を退避させた状態を示す要部拡大図である。
【図１９】（ａ）は、この発明の書込み装置の他例としての電子黒板装置の要部拡大図であり、（ｂ）は、その他例の一態様として、筆記シートの両端を駆動ローラに巻き付けたタイプの書込み装置の横断面図である。
【図２０】この発明の書込み装置のさらにまた他例としての電子黒板装置の要部拡大斜視図である。
【図２１】その段付きねじ位置の縦断面図である。
【図２２】その位置決め部材を退避位置としたときの状態を示す斜視図である。
【符号の説明】
１    筆記シート
２    電子黒板装置本体
３    表示枠
３ｃ，３ｄ    縦枠（枠部）
３ｃｕ    表面
３ｃｄ    裏面
４０    ペン位置決め部
４０ａ，４０ａａ    縁面
４１    スライド部材
４２    ガイド手段
４２ａ    開口
４３    スケール部
４７ａ，４７ｂ    嵌合凹部
５０    スライド本体
５１ａ，５１ｂ    嵌合部
５２    ペン支持部
５２ｔ    張出部分
５６    定規部
５７    逃げ
７０    ガイド部材
ＣＬ１    枠部中心面
ＣＬ２    反転中心線
Ｌ    横直線
Ｐ    ペン
Ｐ１    芯取付部
Ｐ２    先端
Ｓ１，Ｓ２，Ｓ３，Ｓ４    側面
【図１】
2004237587.tif 000003
【図２】
2004237587.tif 000004
【図３】
2004237587.tif 000005
【図４】
2004237587.tif 000006
【図５】
2004237587.tif 000007
【図６】
2004237587.tif 000008
【図７】
2004237587.tif 000009
【図８】
2004237587.tif 000010
【図９】
2004237587.tif 000011
【図１０】
2004237587.tif 000012
【図１１】
2004237587.tif 000013
【図１２】
2004237587.tif 000014
【図１３】
2004237587.tif 000015
【図１４】
2004237587.tif 000016
【図１５】
2004237587.tif 000017
【図１６】
2004237587.tif 000018
【図１７】
2004237587.tif 000019
【図１８】
2004237587.tif 000020
【図１９】
2004237587.tif 000021
【図２０】
2004237587.tif 000022
【図２１】
2004237587.tif 000023
【図２２】
2004237587.tif 000024